(57)【要約】【課題】測定部位内の特定の部分に対する測定装置の位置がずれた場合でも生体情報を高精度に測定する。【解決手段】測定部位に光を出射する発光部と、前記発光部から出射して前記測定部位内を通過した前記光の受光レベルに応じた検出信号を生成する受光部とをそれぞれ含む複数の検出部と、前記複数の検出部の各々における前記受光部が生成した検出信号から、前記各検出信号の信号強度を示す強度指標に応じて一部の検出信号を選択する選択部とを具備する測定装置。【選択図】図３
2018099409.tif 000002
【特許請求の範囲】
【請求項１】
測定部位に光を出射する発光部と、前記発光部から出射して前記測定部位内を通過した前記光の受光レベルに応じた検出信号を生成する受光部とをそれぞれ含む複数の検出部と、
前記複数の検出部の各々における前記受光部が生成した検出信号から、前記各検出信号の信号強度を示す強度指標に応じて一部の検出信号を選択する選択部と
を具備する測定装置。
【請求項２】
前記選択部が選択した検出信号から、前記測定部位内の血流に関する生体情報を算定する算定部
を具備する請求項１の測定装置。
【請求項３】
前記複数の検出部において、前記発光部と前記受光部との距離は等しい
請求項１または請求項２の測定装置。
【請求項４】
前記複数の検出部は、第１方向に沿って設置される
請求項１から請求項３の測定装置。
【請求項５】
前記複数の検出部の各々における前記発光部と前記受光部とは、前記第１方向に沿って位置する
請求項４の測定装置。
【請求項６】
前記複数の検出部の各々における前記発光部と前記受光部とは、第１方向に交差する第２方向に沿って位置する
請求項４の測定装置。
【請求項７】
前記第１方向は、前記測定部位内の動脈と交差する方向である
請求項４から請求項６の何れかの測定装置。
【請求項８】
前記複数の検出部を前記測定部位に対して支持するためのベルトを具備し、
前記第１方向は、前記ベルトの周方向である
請求項４から請求項６の何れかの測定装置。
【請求項９】
前記各発光部が測定部位に出射する光は、コヒーレント光であり、
前記複数の検出部の各々における前記発光部と前記受光部との間の距離は、０．５ｍｍより大きく３ｍｍより小さい
請求項１から請求項８の何れかの測定装置。
【請求項１０】
前記複数の検出部の各々は、前記発光部と当該発光部から等距離にある複数の受光部とを含む
請求項１から請求項４の何れかの測定装置。
【請求項１１】
測定部位に光を出射する発光部と、前記発光部から出射して前記測定部位内を通過した前記光の受光レベルに応じた検出信号を生成する受光部とをそれぞれ含む複数の検出部を利用して、測定部位内の血流に関する生体情報を測定する方法であって、
コンピューターが、
前記複数の検出部の各々における前記受光部が生成した検出信号から、前記各検出信号の信号強度を示す強度指標に応じて一部の検出信号を選択し、
前記選択した検出信号から、前記生体情報を算定する
測定方法。
【発明の詳細な説明】
【技術分野】
【０００１】
本発明は、生体情報を測定するための技術に関する。
【背景技術】
【０００２】
生体に対する光照射により生体情報を非侵襲で測定する各種の測定技術が従来から提案されている。例えば特許文献１には、リストバンド内に設けられた光センサーにより生成された信号から、手首の動脈の血流速度を算定する構成が開示されている。
【先行技術文献】
【特許文献】
【０００３】
【特許文献１】特開２００４−２０１８６８号公報
【発明の概要】
【発明が解決しようとする課題】
【０００４】
しかし、特許文献１の技術では、動脈に対するリストバンドの位置がずれた場合、血流速度の算定に適した信号（つまり動脈を通過した光の受光レベルを反映した信号）を光センサーが生成できない可能性がある。以上の事情を考慮して、本発明は、測定部位内の特定の部分に対する測定装置の位置がずれた場合でも生体情報を高精度に測定することを目的とする。
【課題を解決するための手段】
【０００５】
以上の課題を解決するために、本発明の好適な態様に係る測定装置は、測定部位に光を出射する発光部と、発光部から出射して測定部位内を通過した光の受光レベルに応じた検出信号を生成する受光部とをそれぞれ含む複数の検出部と、複数の検出部の各々における受光部が生成した検出信号から、各検出信号の信号強度を示す強度指標に応じて一部の検出信号を選択する選択部とを具備する。以上の構成では、複数の検出部の各々における受光部が生成した検出信号のうち、信号強度を示す強度指標に応じて検出信号が選択される。したがって、例えば検出装置に含まれる検出部が１つである構成と比較して、測定部位内の特定の部分（例えば動脈）に対する測定装置の位置がずれた場合でも、生体情報を高精度に測定することが可能である。
【０００６】
本発明の好適な態様では、選択部が選択した検出信号から、測定部位内の血流に関する生体情報を算定する算定部を具備する。以上の構成では、選択部が選択した検出信号から、測定部位の血流に関する生体情報が算定される。
【０００７】
本発明の好適な態様では、複数の検出部において、発光部と受光部との距離は等しい。以上の構成では、発光部から受光部に到達する光が測定部位の内部において通過する深度が、各検出部において同程度となる。したがって、複数の検出部において、発光部と受光部との距離が異なる構成と比較して、測定部位内の特定の部分に対する測定装置の位置がずれた場合でも、生体情報をより高精度に測定することが可能である。
【０００８】
本発明の好適な態様では、複数の検出部は、第１方向に沿って設置される。以上の構成では、複数の検出部が第１方向に沿って設置される。したがって、測定部位内の特定の部分（例えば血管）と測定装置との位置関係が第１方向にずれた場合でも、測定部位内の特定の部分を透過した光を何れかの受光部により受光することが可能である。
【０００９】
本発明の好適な態様では、複数の検出部の各々における発光部と受光部とは、第１方向に沿って位置する。以上の構成では、複数の検出部の各々における発光部と受光部とが、第１方向に沿って位置する。したがって、複数の検出部の各々における発光部と受光部とが、例えば第１方向に交差する方向に沿って位置する構成と比較して、設置する検出部の個数が同じであれば、測定部位内の特定の部分と測定装置の位置関係が第１方向にずれた場合でも、生体情報をより高精度に算定することが可能である。
【００１０】
本発明の好適な態様では、複数の検出部の各々における発光部と受光部とは、第１方向に交差する第２方向に沿って位置する。以上の構成では、複数の検出部の各々における発光部と受光部とが、第１方向に交差する第２方向に沿って位置する。したがって、複数の検出部の各々における発光部と受光部とが、第１方向に沿って位置する構成と比較して、第１方向に沿って高密度に検出部が設置できるという利点がある。
【００１１】
本発明の好適な態様では、第１方向は、測定部位内の動脈と交差する方向である。以上の構成では、複数の検出部は、測定部位内の動脈と交差する方向に配置される。したがって、複数の検出部のうちの何れかが動脈上に位置する可能性が高くなる。
【００１２】
本発明の好適な態様では、複数の検出部を測定部位に対して支持するためのベルトを具備し、第１方向は、ベルトの周方向である。以上の構成では、複数の検出部は、ベルトの周方向に配置される。したがって、ベルトの幅方向と交差する方向に直線上に配置された複数の検出部から検出信号が生成される。
【００１３】
本発明の好適な態様では、各発光部が測定部位に出射する光は、コヒーレント光であり、複数の検出部の各々における発光部と受光部との間の距離は、０．５ｍｍより大きく３ｍｍより小さい。以上の構成では、複数の検出部の各々における発光部と受光部との間の距離は、０．５ｍｍより大きく３ｍｍより小さい。したがって、複数の検出部の各々における発光部と受光部との間の距離が０．５ｍｍより小さい、または、３ｍｍより大きい構成と比較して、ＳＮ比が高い検出信号が生成される。
【００１４】
本発明の好適な態様では、複数の検出部の各々は、発光部と当該発光部から等距離にある複数の受光部とを含む。以上の構成では、発光部と当該発光部から等距離にある複数の受光部の各々が検出信号を生成する。したがって、複数の受光部に対して１対１の関係で発光部を配置した構成と比較して、装置の省電力化および小型化が可能である。
【００１５】
本発明の好適な態様に係る測定方法は、測定部位に光を出射する発光部と、発光部から出射して測定部位内を通過した光の受光レベルに応じた検出信号を生成する受光部とをそれぞれ含む複数の検出部を利用して、測定部位内の血流に関する生体情報を測定する方法であって、コンピューターが、複数の検出部の各々における受光部が生成した検出信号から、各検出信号の信号強度を示す強度指標に応じて一部の検出信号を選択し、選択した検出信号から、生体情報を算定する。以上の態様によれば、本発明の測定装置と同様の作用および効果が実現される。
【図面の簡単な説明】
【００１６】
【図１】本発明の第１実施形態に係る測定装置の側面図である。
【図２】測定装置の機能に着目した構成図である。
【図３】動脈に対する各検出部の位置の説明図である。
【図４】コヒーレント光を照射強度３ｍＷ/ｃｍ2で出射する発光部と受光部との距離と、検出信号のＳＮ比との関係のグラフである。
【図５】コヒーレント光を照射強度１ｍＷ/ｃｍ2で出射する発光部と受光部との距離と、検出信号のＳＮ比との関係のグラフである。
【図６】制御装置の動作のフローチャートである。
【図７】第２実施形態に係る動脈に対する各検出部の位置の説明図である。
【図８】動脈の中心軸から検出部までの距離と、検出信号の強度指標との関係のグラフである。
【図９】変形例に係る各検出部の説明図である。
【図１０】変形例に係る各検出部の説明図である。
【図１１】変形例に係る各検出部の位置の説明図である。
【発明を実施するための形態】
【００１７】
＜第１実施形態＞
図１は、本発明の第１実施形態に係る測定装置１００の側面図である。測定装置１００は、被験者の血流に関する生体情報を算定する測定機器であり、被験者の身体のうち測定対象となる部位（以下「測定部位」という）Ｍに装着される。第１施形態では、被験者の手首を測定部位Ｍとして例示する。具体的には、測定装置１００は、測定部位Ｍ内に存在する動脈Ａ（橈骨動脈および尺骨動脈）の血流に関する生体情報を算定する。第１実施形態では、動脈Ａの血流量を血流に関する生体情報として例示する。
【００１８】
第１実施形態の測定装置１００は、測定部位Ｍに巻回されるベルト１４と当該ベルト１４に固定される筐体部１２とを具備する腕時計型の携帯機器であり、測定部位Ｍの例示である手首にベルト１４を巻回することで被験者の手首に装着可能である。測定装置１００は、被験者の手首の表面に接触する。
【００１９】
以下、図１の動脈Ａに交差（典型的には直交）する方向を第１方向ｘといい、第１方向ｘに交差（典型的には直交）する方向を第２方向ｙという。第１方向ｘは、図１に例示される通り、ベルト１４の周方向Ｌであり、ベルト１４の長手方向に沿う方向とも換言され得る。第２方向ｙは、動脈Ａが延在する方向に平行な方向であり、ベルト１４の幅方向Ｗに沿う方向とも換言され得る。ベルト１４の幅方向とは、帯状のベルト１４における短手方向であり、ベルト１４を側面とする円筒の中心軸Ｊの方向とも換言され得る。第１方向ｘにおける一方側をｘ1側といい、ｘ1側とは反対側をｘ2側という。また、第２方向ｙにおける一方側をｙ1側といい、ｙ1側とは反対側をｙ2側という。
【００２０】
図２は、測定装置１００の機能に着目した構成図である。図２に例示される通り、第１実施形態の測定装置１００は、制御装置２０と記憶装置２２と表示装置２４と検出装置２６とを具備する。制御装置２０および記憶装置２２は、筐体部１２の内部に設置される。図１に例示される通り、表示装置２４（例えば液晶表示パネル）は、筐体部１２の表面（例えば測定部位Ｍとは反対側の表面）に設置され、測定結果を含む各種の画像を制御装置２０による制御のもとで表示する。
【００２１】
図２の検出装置２６は、測定部位Ｍの状態に応じた複数の検出信号を生成するセンサーモジュールであり、例えば筐体部１２のうち測定部位Ｍとの対向面（以下「検出面」という）２８に設置される。検出装置２６は、ベルト１４により測定部位Ｍに対して支持される。検出面２８は、平面または曲面である。第１実施形態の検出装置２６は、図３に例示される通り、複数の検出部５０を具備する。複数の検出部５０の各々は、発光部Ｅと受光部Ｒとを含み、測定部位Ｍの状態に応じた検出信号を生成する。
【００２２】
発光部Ｅは、測定部位Ｍに光を出射する。第１実施形態の発光部Ｅは、干渉性が高いコヒーレントな光（すなわちレーザー光）を出射する発光素子である。レーザーを発光する発光素子としては、面発光レーザー（ＶＣＳＥＬ、Vertical Cavity Surface Emitting LASER）、フォトニック結晶レーザー、半導体レーザー等が適用可能である。各発光部Ｅは、測定部位Ｍに対して同時に光を出射する。ただし、ＬＥＤ（Light Emitting Diode）を発光部Ｅとして利用することも可能である。第１実施形態の各発光部Ｅが出射する光の照射強度（例えば３ｍＷ/ｃｍ2以下）は、複数の発光部Ｅにおいて等しい。
【００２３】
発光部Ｅから出射した光は、測定部位Ｍに入射するとともに測定部位Ｍの内部で反射および散乱を繰り返したうえで検出面２８側に出射して受光部Ｒに到達する。すなわち、発光部Ｅと受光部Ｒとで反射型の光学センサーとして機能する。
【００２４】
受光部Ｒは、測定部位Ｍ内を通過した光の受光レベルに応じた検出信号を生成する。例えば、測定部位Ｍに対向する受光面で光を受光するフォトダイオード（ＰＤ：Photo Diode）等の光電変換素子が受光部Ｒとして好適に利用される。受光部Ｒの受光面の形状は、例えば０．２ｍｍ角である。なお、各検出部５０は、例えば、駆動電流の供給により発光部Ｅを駆動する駆動回路と、受光部Ｒの出力信号を増幅およびＡ/Ｄ変換する出力回路（例えば増幅回路とＡ/Ｄ変換器）を包含するが、図３では各回路の図示を省略した。
【００２５】
測定部位Ｍ内の動脈Ａは、拍動と同等の周期で反復的に拡張および収縮する。拡張時と収縮時とで血管内の血流量は相違するから、測定部位Ｍからの受光レベルに応じて各受光部Ｒが生成する検出信号は、測定部位Ｍの血管の血流量の変動に対応した周期的な変動成分を含む脈波信号である。
【００２６】
第１実施形態の複数の検出部５０は、図３に例示される通り、第１方向ｘに沿って、つまり動脈Ａ（直径２〜３ｍｍ程度）と交差するように設置される。具体的には、複数の検出部５０の各々は、第１方向ｘに平行な直線Ｋ上の相異なる場所に設置される。複数の検出部５０は、第１方向ｘに沿って等間隔に設置される。ただし、複数の検出部５０の疎密を変化させることも可能である。例えば、複数の検出部５０の配列のうち中央側の部分において両端側と比較して複数の検出部５０を密に配置することも可能である。検出部５０が直線Ｋ上に位置するとは、検出部５０の受光部Ｒと発光部Ｅとが存在する範囲Ｚ（第２方向ｙにおけるｙ1側の端部からｙ2側の端部までの範囲）の内側に直線Ｋが位置することである。
【００２７】
複数の検出部５０の各々における発光部Ｅと受光部Ｒとは、第１方向ｘに沿って位置する。具体的には、発光部Ｅの中心と受光部Ｒの中心とが、直線Ｋ上に位置する。各検出部５０において、発光部Ｅは直線Ｋ上においてｘ2側に位置し、受光部Ｒは直線Ｋ上においてｘ1側に位置する。各検出部５０における発光部Ｅと受光部Ｒとの距離は、すべての検出部５０において等しい。発光部Ｅと受光部Ｒとの距離は、発光部Ｅと受光部Ｒとの各々の中心間の距離である。第１実施形態の検出装置２６では、図３に例示される通り、発光部Ｅと受光部Ｒとが複数の検出部５０にわたり第１方向ｘに交互に配列する。
【００２８】
図４および図５は、各検出部５０における発光部Ｅと受光部Ｒとの距離と、受光部Ｒで生成される検出信号のＳＮ比との関係のグラフである。図４は、コヒーレント光を照射強度３ｍＷ/ｃｍ2で出射した場合であり、図５は、コヒーレント光を照射強度１ｍＷ/ｃｍ2で出射した場合である。ＳＮ比は、信号成分と雑音成分との強度比であり、ＳＮ比が高いほど、生体情報の算定に好適な検出信号が生成されていることを意味する。ＳＮ比は、図４および図５に例示される通り、発光部Ｅと受光部Ｒとの距離が０．５ｍｍ以上３ｍｍ以下の場合に高い値を示し、１ｍｍ以上１．５ｍｍ以下の場合により顕著になる。したがって、第１実施形態では、発光部Ｅと受光部Ｒとの距離を０．５ｍｍ以上３ｍｍ以下とし、好ましくは、１ｍｍ以上１．５ｍｍ以下とする。以上の構成を採用する結果、ＳＮ比が高い検出信号を生成することが可能になる。なお、以上の構成は、発光部Ｅが出射する光がコヒーレントな光である場合に、特に有効である。
【００２９】
図２の制御装置２０は、ＣＰＵ（Central Processing Unit）やＦＰＧＡ（Field-Programmable Gate Array）等の演算処理装置であり、測定装置１００の全体を制御する。記憶装置２２は、例えば不揮発性の半導体メモリーで構成され、制御装置２０が実行するプログラムや制御装置２０が使用する各種のデータを記憶する。第１実施形態の制御装置２０は、記憶装置２２に記憶されたプログラムを実行することで、動脈Ａの血流量を算定するための複数の機能（選択部３２，算定部３４）を実現する。なお、制御装置２０の機能を複数の集積回路に分散した構成や、制御装置２０の一部または全部の機能を専用の電子回路で実現した構成も採用され得る。また、図２では制御装置２０と記憶装置２２とを別体の要素として図示したが、記憶装置２２を内包する制御装置２０を例えばＡＳＩＣ（Application Specific Integrated Circuit）等により実現することも可能である。
【００３０】
選択部３２は、複数の検出部５０の各々における受光部Ｒが生成した検出信号から、血流量の算定に利用する検出信号を選択する。第１実施形態の選択部３２は、複数の検出部５０の各々における受光部Ｒが生成した検出信号から、各検出信号の信号強度を示す指標（以下「強度指標」という）に応じて一部の検出信号を選択する。第１実施形態では、検出信号のＳＮ比を強度指標として例示する。
【００３１】
ここで、各検出部５０が生成した検出信号の強度指標は、当該検出信号を生成した検出部５０の動脈Ａに対する位置で異なる。図３には、発光部Ｅから受光部Ｒに到達する光が測定部位Ｍの内部で伝搬する範囲（以下「伝搬範囲」という）Ｂが図示されている。伝搬範囲Ｂは、所定値を上回る強度の光が分布する範囲（いわゆるバナナシェイプ）を意味する。動脈Ａの中心軸Ｇ（第２方向ｙと平行な直線）上に位置する検出部５０の伝搬範囲Ｂは、図３に例示される通り、中心軸Ｇから離れた位置にある検出部５０の伝搬範囲Ｂと比較して、動脈Ａが延在する範囲と平面視で重複しやすい。つまり、平面視で中心軸Ｇに近い位置にある検出部５０から生成される検出信号の強度指標ほど高くなり、中心軸Ｇから遠い位置にある検出部５０から生成される検出信号の強度指標ほど低くなる。言い換えれば、強度指標が高い検出信号ほど、動脈Ａを透過した光をより受光して生成されたと言える。以上より、第１実施形態の選択部３２は、各検出部５０が生成した検出信号から、強度指標が最大（つまり発光部Ｅが出射した光が最も動脈Ａ内を透過した）である１つの検出信号を選択する。複数の受光部Ｒのうち動脈Ａに最も近い受光部Ｒが生成した検出信号が選択される、とも換言され得る。
【００３２】
具体的には、選択部３２は、各検出信号について強度指標を算出し、複数の検出信号のうち強度指標が最大である検出信号を選択する。強度指標の算定の方法は任意であるが、例えば、選択部３２は、検出信号の複数周期（例えば１０周期）の振幅の平均から強度指標を算出する。
【００３３】
算定部３４は、選択部３２が選択した検出信号から、動脈Ａの血流量Ｑを算定する。血流量Ｑの算定には、公知の技術が任意に採用され得る。例えば、算定部３４は、以下の式(１)を利用して、血流量Ｑを算定する。ｆdは、静止した組織からの散乱光と動いている血球からの散乱光との干渉によって生じるうなり信号の周波数である。Ｉは、受光部Ｒの受光強度である。Φ(ｆd)は、検出信号のパワースペクトルであり、例えば高速フーリエ変換（ＦＦＴ：Fast Fourier Transform）を利用して算出される。算定部３４は、算定した血流量Ｑを表示装置２４に表示させる。
【数１】
2018099409.tif 000003
【００３４】
図６は、制御装置２０の処理の動作のフローチャートである。被験者からの測定開始の指示（プログラムの起動）を契機として図６の処理が開始される。選択部３２は、複数の検出部５０の各々における受光部Ｒが生成した検出信号について、強度指標を算出する（Ｓ1）。選択部３２は、複数の検出信号のうち、算出した強度指標が最大の検出信号を選択する（Ｓ2）。算定部３４は、選択部３２が特定した検出信号から、血流量Ｑを算定する（Ｓ3）。算定部３４は、算定した血流量Ｑを表示装置２４に表示させる（Ｓ4）。ステップＳ1からステップＳ4までの処理は、所定の間隔で反復して実行される。
【００３５】
ここで、例えば検出装置２６に含まれる検出部５０が１つである構成の場合、生体内部での動脈Ａの位置は個人差があること、また、利用者が測定部位Ｍ内の動脈Ａの位置を探すことは困難であることから、動脈Ａの中心軸Ｇから検出部５０の位置が離れてしまう可能性がある。ひいては、動脈Ａを通過した光の受光レベルを反映した適切な検出信号が生成できないといった問題が生じ得る。それに対して、第１実施形態では、各検出部５０が生成した複数の検出信号のうち、強度指標に応じた検出信号が選択されるから、動脈Ａに対して測定装置１００の位置がずれた場合でも、動脈Ａを通過した光の受光レベルを反映した適切な検出信号を選択することが可能である。したがって、第１実施形態では、動脈Ａを通過した光の受光レベルを反映した適切な検出信号を利用して、動脈Ａの血流量Ｑを高精度に算定できるという利点がある。
【００３６】
＜第２実施形態＞
本発明の第２実施形態を説明する。なお、以下に例示する各構成において作用や機能が第１実施形態と同様である要素については、第１実施形態の説明で使用した符号を流用して各々の詳細な説明を適宜に省略する。
【００３７】
第１実施形態では、複数の検出部５０の各々における発光部Ｅと受光部Ｒとは、第１方向ｘに沿って位置する。それに対して第２実施形態では、複数の検出部５０の各々における発光部Ｅと受光部Ｒとは、図７に例示される通り、第１方向ｘに交差する第２方向ｙに沿って位置する。
【００３８】
第２実施形態における検出装置２６は、第１実施形態と同様に、複数の検出部５０を具備する。第２実施形態における複数の検出部５０の各々は、第１実施形態と同様に、発光部Ｅと受光部Ｒとを含み、第１方向ｘと平行な直線Ｋ上の相異なる場所に設置される。複数の検出部５０の各々における発光部Ｅと受光部Ｒとは、図７に例示される通り、第２方向ｙに沿って位置する。具体的には、発光部Ｅの中心と受光部Ｒの中心とが、第２方向ｙ（中心軸Ｇ）と平行な直線Ｎ上に位置する。各検出部５０において、発光部Ｅは直線Ｎ上においてｙ1側に位置し、受光部Ｒは直線Ｎ上においてｙ2側に位置する。各検出部５０における発光部Ｅと受光部Ｒとの距離は、すべての検出部５０において等しい。
【００３９】
第２実施形態においても、動脈Ａの中心軸Ｇ上に位置する検出部５０の伝搬範囲Ｂは、図７に例示される通り、中心軸Ｇから離れた位置にある検出部５０の伝搬範囲Ｂと比較して、動脈Ａが延在する範囲と平面視で重複しやすいことがわかる。したがって、第２実施形態における選択部３２についても、第１実施形態と同様に、複数の検出部５０の各々における受光部Ｒが生成した検出信号から、強度指標が最大の検出信号を選択する。第２実施形態における算定部３４は、第１実施形態と同様に、選択部３２が選択した検出信号から、動脈Ａの血流量Ｑを算定する。第２実施形態においても第１実施形態と同様の効果が実現される。
【００４０】
図８は、動脈Ａの中心軸Ｇから検出部５０（発光部Ｅと受光部Ｒとを結ぶ線分の中点）までの距離と、検出信号の強度指標との関係のグラフである。中心軸Ｇ上に位置する検出部５０を基準として、横軸の距離分だけずれて設置された各検出部５０が生成した検出信号の強度指標が、第１実施形態の構成と第２実施形態の構成とについて示されている。第１実施形態と第２実施形態との各々の構成において、中心軸Ｇ上に位置する検出部５０を基準として、左右に１ｍｍ間隔毎に検出部５０を第１方向ｘに沿って設置した場合を想定している。上述した通り、第１実施形態は、各検出部５０の発光部Ｅと受光部Ｒとが第１方向ｘに沿って位置する構成であり、第２実施形態は、各検出部５０の発光部Ｅと受光部Ｒとが第２方向ｙに沿って位置する構成である。
【００４１】
図８に示される通り、第１実施形態と第２実施形態との構成の双方において、中心軸Ｇ上に位置する検出部５０が生成する検出信号の強度指標が最大であり、中心軸Ｇから検出部５０の位置が左右に離れるにつれて検出部５０が生成する検出信号の強度指標が低くなることがわかる。ただし、第１実施形態の構成では、第２実施形態の構成と比較して、中心軸Ｇに対して検出部５０の位置が左右にずれた場合でも強度指標は高い。以上の説明から理解される通り、第１実施形態と第２実施形態とで各検出部５０を同じ位置に設置した場合、第２実施形態の構成よりも第１実施形態の構成の方が、動脈Ａと測定装置１００との位置関係が第１方向ｘにずれた場合でも、より高精度に生体情報を算定することが可能である。ただし、各検出部５０の発光部Ｅと受光部Ｒとが第２方向ｙに沿って位置する第２実施形態の構成では、第１実施形態の構成と比較して、第１方向ｘに沿って高密度に検出部５０が設置できるという利点がある。
【００４２】
＜変形例＞
以上に例示した各形態は多様に変形され得る。具体的な変形の態様を以下に例示する。以下の例示から任意に選択された２以上の態様を適宜に併合することも可能である。
【００４３】
（１）前述の各形態では、ＳＮ比を強度指標として例示したが、強度指標は以上の例示に限定されない。例えば、検出信号の信号強度そのものを強度指標とする構成も採用され得る。また、特定の範囲（例えば１周期や複数の周期分）内の強度の代表値（平均値や最大値）を強度指標として利用することも可能である。
【００４４】
（２）前述の各形態では、測定部位Ｍ内の血流に関する生体情報として血流量Ｑを算定したが、血流に関する生体情報の種類は以上の例示に限定されない。例えば、脈波伝搬速度（ＰＷＶ）や血圧を測定部位Ｍ内の血流に関する生体情報として算定する構成も採用され得る。
【００４５】
（３）前述の各形態では、選択部３２は、複数の検出部５０の各々における受光部Ｒが生成した検出信号から、強度指標が最大の検出信号を選択したが、選択部３２が選択する検出信号は１つに限定されない。選択部３２は、各検出信号から複数の検出信号を選択することも可能である。選択部３２は、例えば、強度指標の降順で上位に位置する所定個の検出信号を選択する。なお、強度指標が最大の検出信号と、当該強度指標が最大の検出信号を生成した検出部５０から近い位置に設置された２つの検出部５０の各々が生成した検出信号とを選択部３２が選択する構成も好適に採用され得る。算定部３４は、例えば、選択部３２が選択した複数の検出信号の各々について算出した生体情報の平均、または、強度指標に応じた加重値を利用した加重平均を算定する。以上の説明から理解される通り、選択部３２は、複数の検出部５０の各々における受光部Ｒが生成した検出信号から、各検出信号の信号強度を示す強度指標に応じて一部の検出信号を選択する要素として包括的に表現される。
【００４６】
（４）前述の各形態では、各検出部５０が発光部Ｅと受光部Ｒとをそれぞれ１つ含む構成を例示したが、各検出部５０が複数の受光部Ｒを含む構成も採用され得る。検出部５０が含む複数の受光部Ｒは、発光部Ｅから等距離である。例えば、図９に例示されるように１個の発光部Ｅと、当該発光部Ｅを挟んで２つの受光部Ｒとを各検出部５０が含む構成、または、図１０に例示されるように１個の発光部Ｅと、発光部Ｅを中心とした円周上に位置する複数の受光部Ｒとを含む構成が採用され得る。図９では１個の発光部Ｅと２個の受光部Ｒとが第１方向ｘに配列する構成を例示したが、１個の発光部Ｅと２個の受光部Ｒとを第２方向ｙに配列することも可能である。選択部３２は、各検出部５０に含まれる複数の受光部Ｒが生成した検出信号から、強度指標に応じて一部の検出信号を選択する。発光部Ｅから等距離にある複数の受光部Ｒを検出部５０が含む構成によれば、複数の受光部Ｒに対して１対１の関係で発光部Ｅを配置した構成と比較して、省電力化および小型化が可能である。また、発光部Ｅ間の距離が大きくなるので、他の検出部５０の発光部Ｅが出射する光から受光部Ｒが受ける影響を低減することができる。
【００４７】
（５）前述の各形態では、測定装置１００は、測定部位Ｍ内の血流に関する生体情報を算定する算定部３４を具備したが、算定部３４は測定装置１００から省略され得る。以上の構成では、測定装置１００は、測定装置１００と通信可能な外部装置（例えばスマートフォン）に選択した検出信号を送信する。外部装置は、受信した検出信号から生体情報を算定する。以上の構成においても、測定部位Ｍ内の特定の部分に対する測定装置１００の位置がずれた場合でも、生体情報を高精度に測定することが可能である、という効果は実現される。
【００４８】
（６）前述の各形態では、複数の検出部５０を第１方向ｘに沿って設置したが、複数の検出部５０を設置する位置は以上の例示に限定されない。例えば、複数の検出部５０を面状（例えば第１方向ｘおよび第２方向ｙにわたる行列状）に配列することも可能である。ただし、複数の検出部５０を第１方向ｘに沿って設置する構成によれば、測定部位Ｍ内の特定の部分と測定装置１００との位置関係が第１方向ｘにずれた場合でも、特定の部分を透過した光を何れかの受光部Ｒにより受光することが可能である。
【００４９】
（７）前述の各形態では、測定部位Ｍ内の動脈Ａと交差する方向を第１方向ｘとして例示したが、例えば動脈Ａと平行方向を第１方向ｘとすることも可能である。ただし、測定部位Ｍ内の動脈Ａと交差する方向を第１方向ｘとする構成によれば、複数の検出部５０のうちの何れかが動脈Ａ上に位置する可能性が高くなる。ひいては、動脈Ａの血流に関する生体情報を高精度に算定することができる。
【００５０】
（８）前述の形態では、複数の検出部５０の各々における発光部Ｅと受光部Ｒとの中心が、直線Ｋ（第２実施形態では直線Ｎ）上に位置する構成を例示したが、発光部Ｅと受光部Ｒとの直線Ｋ上での位置は以上の例示に限定されない。例えば、図１１に例示される通り、発光部Ｅと受光部Ｒとの中心が直線Ｋ上に位置しない構成でも、各々の一部さえ平面視で直線Ｋに重なる構成であれば、発光部Ｅと受光部Ｒとは直線Ｋ上に位置すると言える。
【００５１】
（９）第１実施形態では、各検出部５０において、発光部Ｅは直線Ｋ上においてｘ2側に位置し、受光部Ｒは直線Ｋ上においてｘ1側に位置したが、各検出部５０における発光部Ｅと受光部Ｒとの位置関係は以上の例示に限定されない。例えば、各検出部５０において発光部Ｅは直線Ｋ上においてｘ1側に位置し、受光部Ｒは直線Ｋ上においてｘ2側に位置する構成、または、検出部５０毎に発光部Ｅと受光部Ｒとの位置関係を相違させる構成も採用され得る。
【００５２】
（１０）第２実施形態では、各検出部５０において、発光部Ｅは直線Ｎ上においてｙ1側に位置し、受光部Ｒは直線Ｎ上においてｙ2側に位置したが、各検出部５０における発光部Ｅと受光部Ｒとの位置関係は以上の例示に限定されない。例えば、各検出部５０において発光部Ｅは直線Ｎ上においてｙ2側に位置し、受光部Ｒは直線Ｋ上においてｙ1側に位置する構成、または、検出部５０毎に発光部Ｅと受光部Ｒとの位置関係を相違させる構成も採用され得る。
【００５３】
（１１）前述の各形態では、各検出部５０における発光部Ｅと受光部Ｒとの距離が、すべての検出部５０において等しい構成を例示したが、発光部Ｅと受光部Ｒとの距離を検出部５０毎に相違させる構成も採用され得る。ただし、各検出部５０において発光部Ｅと受光部Ｒとの距離が等しい構成によれば、発光部Ｅから受光部Ｒに到達する光が測定部位Ｍの内部において通過する深度（つまり伝搬範囲Ｂの深度）が、各検出部５０において同程度となる。したがって、複数の受光部Ｒのうち動脈Ａに最も近い受光部Ｒが生成した検出信号の強度指標が最大となる。以上の説明から理解される通り、各検出部５０において発光部Ｅと受光部Ｒとの距離が等しい構成は、発光部Ｅと受光部Ｒとの距離が検出部５０毎に異なる構成と比較して、測定部位Ｍ内の動脈Ａに対する測定装置１００の位置がずれた場合でも、生体情報をより高精度に測定することが可能である。
【００５４】
（１２）前述の各形態では、検出信号の選択に利用した信号を血流量Ｑの算定にも流用したが、血流量Ｑの算定に利用する検出信号を検出部５０が別途生成することも可能である。例えば、選択部３２により検出信号が選択された後に、当該選択された検出信号を生成した検出部５０以外の検出部５０の発光を停止する。選択された検出信号を生成した検出部５０は、血流量Ｑの算定に利用する検出信号を生成する。算定部３４は、検出部５０により生成された検出信号を利用して血流量Ｑを算定する。以上の構成では、他の検出部５０の発光部Ｒが出射する光の影響が少ない検出信号を利用して血流量Ｑを算定することができる。ただし、検出信号の選択に利用した信号を血流量Ｑの算定も流用する構成によれば、省電力化が可能である。
【００５５】
（１３）前述の各形態では、各発光部Ｅが測定部位Ｍに対して同時に光を出射する構成を例示したが、各発光部Ｅが時分割で光を出射する構成も採用され得る。各発光部Ｅが時分割で光を出射する構成によれば、他の検出部５０の発光部Ｅから出射された光の影響を受光部Ｒが受けにくいという利点がある。
【００５６】
（１４）前述の各形態では、複数の検出信号の生成と、複数の検出信号のうちの一部の検出信号の選択と、生体情報の算出とを単体の測定装置１００で実行したが、前述の各形態で例示した測定装置１００の機能を複数の装置で実現することも可能である。例えば、複数の検出信号を生成する検出装置２６と通信可能な端末装置を測定装置１００として利用して検出信号の選択と生体情報の算定とを実現することも可能である。具体的には、検出装置２６が生成した複数の検出信号が端末装置に送信される。端末装置は、検出装置２６から受信した複数の検出信号のうちの一部の検出信号を選択し、生体情報を算定する。以上の例示から理解される通り、検出装置２６と制御装置２０とを相互に別体で構成してもよい。
【００５７】
また、選択部３２および特定部のうちの一方または双方を端末装置に設けた構成（例えば端末装置で実行されるアプリケーションで実現される構成）であってもよい。以上の説明から理解される通り、測定装置１００は、相互に別体で構成された複数の装置でも実現され得る。
【００５８】
（１５）前述の各形態では、ベルト１４と筐体部１２とから構成される測定装置１００を例示したが、測定装置１００の具体的な形態は任意である。例えば、被験者の身体に貼付可能なパッチ型，被験者の耳介に装着可能なイヤリング型，被験者の指先に装着可能な指装着型（例えば着爪型または指輪型），被験者の頭部に装着可能なヘッドマウント型等、任意の形態の測定装置１００が採用され得る。なお、ベルト１４と測定装置１００とを一体とする構成も採用され得る。ただし、例えば指装着型等の測定装置１００を装着した状態では日常生活に支障がある可能性が想定されるから、日常生活に支障なく常時的に検出信号を生成するという観点からは、被験者の手首にベルト１４により装着可能な前述の形態の測定装置１００が特に好適である。なお、腕時計等の各種の電子機器に装着（例えば外付け）される形態の測定装置１００も実現され得る。
【００５９】
（１６）本発明は、測定装置１００の動作方法（測定方法）としても特定され得る。具体的には、本発明の好適な態様の測定方法は、測定部位Ｍに光を出射する発光部Ｅと、発光部Ｅから出射して測定部位Ｍ内を通過した光の受光レベルに応じた検出信号を生成する受光部Ｒとをそれぞれ含む複数の検出部５０を利用して、測定部位Ｍ内の血流に関する生体情報を測定する方法であって、コンピューターが、複数の検出部５０の各々における受光部Ｒが生成した検出信号から、各検出信号の信号強度を示す強度指標に応じて一部の検出信号を選択し、選択した検出信号から、生体情報を算定する。
【符号の説明】
【００６０】
１００…測定装置、１２…筐体部、１４…ベルト、２０…制御装置、２２…記憶装置、２４…表示装置、２６…検出装置、２８…検出面、３２…選択部、３４…算定部、５０…検出部、Ｅ…発光部、Ｒ…受光部。
【図１】
2018099409.tif 000004
【図２】
2018099409.tif 000005
【図３】
2018099409.tif 000006
【図４】
2018099409.tif 000007
【図５】
2018099409.tif 000008
【図６】
2018099409.tif 000009
【図７】
2018099409.tif 000010
【図８】
2018099409.tif 000011
【図９】
2018099409.tif 000012
【図１０】
2018099409.tif 000013
【図１１】
2018099409.tif 000014